(57)【要約】【課題】光源の方向や角度を一定に保持し、テンキーなどの操作部に対して十分な照射を行なう。【解決手段】玄関に設けられ、居住者又は訪問者によって操作され居住者への呼出または玄関に設けられるドアの電気錠の解錠に用いるテンキーなどの操作部を有するインターホン玄関機を備え、インターホン玄関機は、操作部を照射して操作部の視認性を向上させるための照射部と、操作部の操作で作動し、呼出または解錠を行なうためのスイッチ３５および照射部から光を照射させるための光源３６を実装する基板３４と、基板に実装された光源を照射部に向けて照射する取付け位置に位置決めるためのホルダー３７とを有している。【選択図】図２
2004007124.tif 000002
【特許請求の範囲】
【請求項１】
玄関に設けられ、居住者又は訪問者によって操作され前記居住者への呼出または前記玄関に設けられるドアの電気錠の解錠に用いるテンキーなどの操作部（３１）を有するインターホン玄関機（１）を備え、
前記インターホン玄関機は、前記操作部を照射して前記操作部の視認性を向上させるための照射部（３２）と、前記操作部の操作で作動し、前記呼出または前記解錠を行なうためのスイッチ（３５）および前記照射部から光を照射させるための光源（３６）を実装する基板（３４）と、前記基板に実装された前記光源を前記照射部に向けて照射する取付け位置に位置決めるためのホルダー（３７）とを有することを特徴とするインターホン玄関機構造。
【請求項２】
前記基板は、前記インターホン玄関機のシャーシ（３３）に内蔵され、前記ホルダーは前記シャーシに取付けられることを特徴とする請求項１記載のインターホン玄関機構造。
【請求項３】
前記基板は、前記インターホン玄関機のシャーシ（３３）に内蔵され、前記ホルダーは、前記シャーシと一体成形されていることを特徴とする請求項１記載のインターホン玄関機構造。
【請求項４】
前記ホルダーは、前記ホルダーを前記シャーシに取付けるにあたり、前記ホルダーの１つの取付け位置を決定して前記ホルダーを取付けるときに前記光源を位置決めしやすくするため前記光源を前記照射部に向けて照射する方向に導くように傾斜されたリブ（３７７）を有することを特徴とする請求項１または請求項２記載のインターホン玄関機構造。
【発明の詳細な説明】
【０００１】
【発明の属する技術分野】
本発明は、インターホン玄関機構造に係わり、特にテンキーなどの操作部に対して十分な照射を行なうことができるインターホン玄関機構造に関する。
【０００２】
【従来の技術】
従来、玄関先などに設置するインターホン玄関機構造として、図４に示すような構成のものが知られている。
【０００３】
同図において、インターホン玄関機１０は、スイッチ２０および光源３０が搭載された基板４０を内蔵するシャーシ５０と、シャーシ５０の前面に取り付けられ、居住者または訪問者が操作し居住者の呼出しまたは電気錠の解錠に用いるテンキーなどの操作部６０を有するケース７０と、ケース７０の操作部６０をカバーするためのパネル８０と、ケース７０の上方位置に配設される照射部９０とを備えている。
【０００４】
ここで、光源３０は基板４０に対して略垂直に設けられており、光源３０からの光が照射部９０を介して操作部６０に直接照射されるように構成されている。
【０００５】
このような構成のインターホン玄関機１０においては、例えば、訪問者が居住者を呼出すために、光源３０からの光の照射によって視認性が向上している操作部６０を操作すると、基板４０のスイッチ２０が動作して、室内に設置される居室機に対して呼出しがなされ、居住者と訪問者間で通話を行うことができる。
【０００６】
【発明が解決しようとする課題】
しかしながら、このような従来のインターホン玄関機構造では、ＬＥＤなどから成る光源の頭部がインターホン玄関機の構成部材に固定されていないため、インターホン玄関機の組立て時において光源の方向や角度が変化し、テンキーなどの操作部に対して十分な照射を行なうことができないという難点があった。
【０００７】
本発明は、これらの難点を解決するためになされたもので、光源を固定するためのホルダーを設けることにより、光源の方向や角度を一定に保持し、テンキーなどの操作部に対して十分な照射を行なうことができるインターホン玄関機構造を提供することを目的とする。
【０００８】
【課題を解決するための手段】
上記の目的を達成するために、本発明によるインターホン玄関機構造は、玄関に設けられ、居住者又は訪問者によって操作され居住者への呼出または玄関に設けられるドアの電気錠の解錠に用いるテンキーなどの操作部を有するインターホン玄関機を備え、インターホン玄関機は、操作部を照射して操作部の視認性を向上させるための照射部と、操作部の操作で作動し、呼出または前記解錠を行なうためのスイッチおよび照射部から光を照射させるための光源を実装する基板と、基板に実装された光源を照射部に向けて照射する取付け位置に位置決めるためのホルダーとを有している。
【０００９】
また、本発明によるインターホン玄関機構造における基板は、インターホン玄関機のシャーシに内蔵され、ホルダーはシャーシに取付けられるように構成されている。
【００１０】
また、本発明によるインターホン玄関機構造における基板は、インターホン玄関機のシャーシに内蔵され、ホルダーは、シャーシと一体成形されている。
【００１１】
また、本発明によるインターホン玄関機構造におけるホルダーは、ホルダーをシャーシに取付けるにあたり、ホルダーの１つの取付け位置を決定してホルダーを取付けるときに光源を位置決めしやすくするため光源を照射部に向けて照射する方向に導くように傾斜されたリブを有している。
【００１２】
本発明のインターホン玄関機構造によれば、光源を固定するためのホルダーが設けれらていることから、光源の方向や角度を一定に保持でき、テンキーなどの操作部に対して十分な照射を行なうことができる。
【００１３】
【発明の実態の形態】
以下、本発明のインターホン玄関機構造の好ましい実施の形態例について、図面を参照して詳述する。ここで、図１は、本発明のインターホン玄関機構造を適用したインターホン玄関機の斜視図、図２は、実施例におけるインターホン玄関機の組立て図、図３は、ホルダーの斜視図を示している。
【００１４】
図１において、玄関に設けられるインターホン玄関機１は、居住者と通話するための通話モジュール２と、居住者または訪問者が操作し居住者の呼出しまたは電気錠の解錠に用いるテンキーモジュール３と、居住者の名前および／または部屋番号を検索するための名前検索モジュール４とを備えており、これらの名前通話モジュール２、テンキーモジュール３および検索モジュール４は、縦一列に並べられている。
【００１５】
ここで、通話モジュール２は、マイク穴２１、通電表示灯２２およびスピーカ放音口２３を有し、テンキーモジュール３は、後述する操作部３１および操作部３１を照射するための照射部３２を有し、また、名前検索モジュール４は、名前表示部４１、横１列に離間して配置された４個のＬＥＤなどから成る絵文字４２およびこれらの絵文字４２の下方部に横１列に離間して配置された４個のボタン４３を有している。
【００１６】
テンキーモジュール３は、図２に示すように、上部開口の筐体から成るシャーシ３３と、シャーシ３３内の底部に固定される基板３４と、基板３４に３列４段に区分して実装される１２個のスイッチ３５および基板３４の上部に横１列に離間して実装される６個のＬＥＤなどから成る光源３６と、シャーシ３３の上面に開口部を覆うように装着され、各光源３６を所定位置に位置決めするための後述するホルダー３７と、各先端部が対応するスイッチ３５にそれぞれ電気的に接続されるように配設される１２個のテンキー３１ａ（図１参照）と、シャーシ３３の上面にホルダー３７の前面を覆うように装着され、１２個のスイッチ３５と対応する位置に透孔（不図示）が設けられたパネル３８（図１参照）とを備えている。ここで、ホルダー３７は、名前検索モジュール４のホルダーとしても流用できる構成とされている。
【００１７】
ホルダー３７は、図３に示すように、シャーシ３３の開口部と略同形の板状部材３７１を備えており、この板状部材３７１の上半部には名前検索モジュール４の名前表示部４１の前面を露出させるに十分な矩形状の切欠部３７２が設けられ、下半部には９個の大穴３７３、４個の小穴３７４および１個の半円状の穴３７５が離間して設けられている。ここで、９個の大穴３７３のうち、板状部材３７１の下段に横１列に離間して配列される３個の大穴３７３と、この下段の大穴３７３と対応する位置の上段に横１列に離間して配列される２個の大穴３７３および半円状の穴３７５は、テンキー３１ａ（図１参照）を挿入するために使用される。また、残部の４個の大穴３７３は名前検索モジュール４の４個のボタン４３（図１参照）を挿入するために使用され、さらに、４個の小穴３７４は名前検索モジュール４の４個の絵文字４２を構成するＬＥＤを挿入するために使用される。このため、各小穴３７４の背面側にはＬＥＤを保護するための円筒部材３７４ａがそれぞれ連設されている。
【００１８】
また、板状部材３７１の上縁部の切欠部３７２側には、６個の光源３６と対応する位置に６個のＵ字状の穴３７６が横１列に離間して設けられており、また上縁部の背面側には、背面側から切欠部３７２側にかつ斜め下方に向かって略コ字状のリブ３７７が連設されている。さらに、板状部材３７１の下縁側には２個の係止爪３７８が離間して設けられている。
【００１９】
なお、以上のスイッチ３５、光源３６、大穴３７３、小穴３７４、半円状の穴３７５およびＵ字状の穴３７６の個数は説明の一例であり、これらの個数に限定されるものではない。
【００２０】
次に、テンキーモジュール３の組立て手順について説明する。
【００２１】
先ず、図２（ａ）に示すように、シャーシ３３の底部に１２個のスイッチ３５および６個の光源３６を実装した基板３４を固定する。次いで、図２（ｂ）に示すように、ホルダー３７の係止爪３７８をシャーシ３３の嵌合溝（不図示）に嵌合し、かつホルダー３７の上縁部をシャーシ３３の開口部に向けて押し込む。そうすると、各光源（ＬＥＤ）は、対応するＵ字状の穴３７６にそれぞれ挿入されるともに、各光源（ＬＥＤ）の頭部がＵ字状の穴３７６の上面側から露出した状態においてリブ３７７とホルダー３７の上縁部とで挟圧された状態で位置決め固定される。
【００２２】
次に、テンキー３１ａ（図１参照）を、その先端部が対応するスイッチ３５にそれぞれ電気的に接続されるように配設すると共に図示しない固定部材で固定し、この状態においてシャーシ３３の上面にホルダー３７の前面を覆うようにパネル３８（図１参照）を装着して、パネル３８の各透孔からそれぞれテンキー３１ａの頭部を露出させる。
【００２３】
これにより、各テンキー３１ａは、対応するキースイッチ３５に電気的に接続されることになり、また、ホルダー３７により所定位置に位置決め固定された光源３６からの光は照射部３２に向けて照射され、当該照射部３２で適正に反射されて操作部３１に照射されることになる。
【００２４】
なお、前述の実施例においては、ホルダーの係止爪をシャーシの嵌合溝に嵌合させた場合について説明しているが、本発明はこのようなものに限定されず、ホルダーとシャーシとを一体成形にしたものを用いても同様の効果を発揮する。
【００２５】
【発明の効果】
以上の説明から明らかなように、本発明によるインターホン玄関機構造は、光源を固定するためのホルダーを備えていることから、光源の方向や角度を一定に保持することができ、テンキーなどの操作部に対して十分な照射を行なうことができる。
【符号の説明】
【図面の簡単な説明】
【図１】本発明のインターホン玄関機構造を適用したインターホン玄関機の斜視図。
【図２】本発明のインターホン玄関機構造の一実施例を示す組立て図。
【図３】本発明のインターホン玄関機構造におけるホルダーの一実施例を示す斜視図。
【図４】従来のインターホン玄関機構造を示す側面図。
【符号の説明】
１・・・インターホン玄関機
３１・・・操作部
３２・・・照射部
３３・・・シャーシ
３４・・・基板
３５・・・スイッチ
３６・・・光源
３７・・・ホルダー
３７７・・・リブ
３８・・・パネル
【図１】
2004007124.tif 000003
【図２】
2004007124.tif 000004
【図３】
2004007124.tif 000005
【図４】
2004007124.tif 000006